(57)【要約】【課題】計量器の取替作業に際して、正確に使用量を積算できる計量器取替システムを提供すること。【解決手段】計量器取替システム１は、管理サーバ１０、及び管理サーバ１０と通信接続された携帯端末２０を有し、管理サーバ１０は、取替前の計量器Ａ及び取替後の計量器Ｂそれぞれから、所定周期で積算データを取得する第１取得部１１と、携帯端末２０から、積算データに反映されていない使用量データを取得する第２取得部１２と、を備え、携帯端末２０は、取替作業中に取替前の計量器Ａと並列に取り付けられる代替の計量器Ｃと接続し、積算データを取得する第３取得部２１と、代替の計量器Ｃの積算データに基づく取替作業中の使用量データを管理サーバ１０へ送信する送信部２３と、を備える。【選択図】図３
2017102541.tif 000002
【特許請求の範囲】
【請求項１】
管理サーバ、及び当該管理サーバと通信接続された携帯端末を有する計量器取替システムであって、
前記管理サーバは、
取替前の計量器及び取替後の計量器それぞれから、所定周期で積算データを取得する第１取得部と、
前記携帯端末から、前記積算データに反映されていない使用量データを取得する第２取得部と、を備え、
前記携帯端末は、
取替作業中に前記取替前の計量器と並列に取り付けられる代替の計量器と接続し、当該代替の計量器から積算データを取得する第３取得部と、
前記代替の計量器の積算データに基づく取替作業中の使用量データを前記管理サーバへ送信する送信部と、を備える計量器取替システム。
【請求項２】
前記携帯端末は、前記取替前の計量器を取り外した際の前記代替の計量器の積算データ、及び前記取替後の計量器を取り付けた際の前記代替の計量器の積算データに基づいて、取替作業中の使用量データを算出する算出部を備える請求項１に記載の計量器取替システム。
【請求項３】
前記第３取得部は、取り外した前記取替前の計量器と接続して積算データを取得し、
前記送信部は、前記取替前の計量器の積算データを、前記管理サーバへ送信する請求項１又は請求項２に記載の計量器取替システム。
【請求項４】
前記携帯端末は、前記取替作業中の使用量データを出力する出力部を備える請求項１から請求項３のいずれかに記載の計量器取替システム。
【発明の詳細な説明】
【技術分野】
【０００１】
本発明は、計量器の取替作業時の使用量を管理する計量器取替システムに関する。
【背景技術】
【０００２】
従来、電力量計の検定使用期間満了又は機種変更等に伴って、計量器の取替工事が実施されている。取替工事の際、無停電で作業を行う場合には、取替前の計量器を取り外してから取替後の計量器を取り付けるまでの作業中にも、電力の使用が継続している。特に高圧電力の場合には、使用量が大きく無視できないため、この作業中の使用量についても正確に積算できる方法が望まれている。
【０００３】
このような状況において、例えば、特許文献１では、代替計量器の取り付けの際の計量器及び代替計量器の指示数と、代替計量器の取り外しの際の代替計量器及び検定済みの計量器の指示数とを基にして、計量器が外されるまでの売電量と、代替計量器が計量した売電量と、検定済みの計量器が計量した売電量とを算出する技術が提案されている。
【先行技術文献】
【特許文献】
【０００４】
【特許文献１】特開２００７−１６４６１０号公報
【発明の概要】
【発明が解決しようとする課題】
【０００５】
しかしながら、従来の技術では、取替前、取替後及び代替のそれぞれの計量器の指示数を読み取って、システムへ入力するという煩雑な作業が要求されていた。このため、端数を含む正確な積算データに基づいて間違いなく迅速に使用量を算出することは容易ではなかった。
【０００６】
本発明は、計量器の取替作業に際して、正確に使用量を積算できる計量器取替システムを提供することを目的とする。
【課題を解決するための手段】
【０００７】
本発明に係る計量器取替システムは、管理サーバ、及び当該管理サーバと通信接続された携帯端末を有する計量器取替システムであって、前記管理サーバは、取替前の計量器及び取替後の計量器それぞれから、所定周期で積算データを取得する第１取得部と、前記携帯端末から、前記積算データに反映されていない使用量データを取得する第２取得部と、を備え、前記携帯端末は、取替作業中に前記取替前の計量器と並列に取り付けられる代替の計量器と接続し、当該代替の計量器から積算データを取得する第３取得部と、前記代替の計量器の積算データに基づく取替作業中の使用量データを前記管理サーバへ送信する送信部と、を備える。
【０００８】
前記携帯端末は、前記取替前の計量器を取り外した際の前記代替の計量器の積算データ、及び前記取替後の計量器を取り付けた際の前記代替の計量器の積算データに基づいて、取替作業中の使用量データを算出する算出部を備えてもよい。
【０００９】
前記第３取得部は、取り外した前記取替前の計量器と接続して積算データを取得し、前記送信部は、前記取替前の計量器の積算データを、前記管理サーバへ送信してもよい。
【００１０】
前記携帯端末は、前記取替作業中の使用量データを出力する出力部を備えてもよい。
【発明の効果】
【００１１】
本発明によれば、計量器の取替作業に際して、正確に使用量を積算できる。
【図面の簡単な説明】
【００１２】
【図１】実施形態に係る計量器取替システムの構成を示す概略図である。
【図２】実施形態に係る使用量の積算手順を示す図である。
【図３】実施形態に係る計量器取替システムの機能構成を示すブロック図である。
【図４】実施形態に係る計量器取替システムにおける処理を示すシーケンス図である。
【発明を実施するための形態】
【００１３】
以下、本発明の実施形態の一例について説明する。
図１は、本実施形態に係る計量器取替システム１の構成を示す概略図である。
【００１４】
計量器取替システム１は、管理サーバ１０と、携帯端末２０とを備える。
管理サーバ１０は、取替対象の計量器Ａ（スマートメータ）と通信可能に接続されており、計量器Ａから１５分又は３０分等の所定の周期で、計量された積算データを受信する。また、管理サーバ１０は、取替後の計量器Ｂ（スマートメータ）からも、同様に所定の周期で積算データを受信する。
携帯端末２０は、計量器との無線又は有線の通信インタフェースを有し、計量器の取替工事に際して、取替前の計量器Ａ及び代替の計量器Ｃから積算データを受信する。
【００１５】
また、管理サーバ１０と携帯端末２０とは所定のネットワークを介して通信接続され、各種データが送受信される。
本実施形態では、計量器の取替工事に際して、携帯端末２０は、取替前の計量器Ａ及び代替の計量器Ｃから積算データを受信すると、積算データ及び積算データから算出される取替作業中の使用量データを、管理サーバ１０へ送信する。管理サーバ１０は、これらの受信データに基づいて、正確な使用量に基づく使用料金を算出できる。
【００１６】
図２は、本実施形態に係る使用量の積算手順を示す図である。
取替前の計量器Ａは、時刻ｔ０までの間、周期的に積算データＸ０を管理サーバ１０へ送信している。
【００１７】
時刻ｔ１で代替の計量器Ｃによる計量に切り替わると、取替前の計量器Ａに残された使用量ｘは、管理サーバ１０に送信されていない状態となる。そこで、取り外された取替前の計量器Ａから携帯端末２０が積算データＸ１を受信し、管理サーバ１０へ送信する。
【００１８】
時刻ｔ１からｔ２までの期間は、代替の計量器Ｃにより計量されるが、スマートメータが属する所定のネットワークに接続されないため、管理サーバ１０へはデータ送信されない。そこで、代替の計量器Ｃの取り付け前及び取り外し後に、携帯端末２０が代替の計量器Ｃから積算データＹ０及びＹ１を受信して使用量ｙを算出し、管理サーバ１０へ送信する。
【００１９】
時刻ｔ２で取替後の計量器Ｂが設置され、所定のネットワークに接続されると、再び管理サーバ１０への周期的な積算データ（Ｚ１，Ｚ２，・・・）の送信が開始される。ここで、積算データＺ０は予め管理サーバ１０に記録されているとすると、使用量（ｚ１，ｚ２，・・・）は、管理サーバ１０で算出可能である。
【００２０】
図３は、本実施形態に係る計量器取替システム１の機能構成を示すブロック図である。
管理サーバ１０は、第１取得部１１と、第２取得部１２とを備える。
携帯端末２０は、第３取得部２１と、算出部２２と、送信部２３と、出力部２４とを備える。
【００２１】
第１取得部１１は、取替前の計量器Ａ及び取替後の計量器Ｂそれぞれから、所定周期で積算データを取得する。
第２取得部１２は、携帯端末２０から、第１取得部１１により既に取得済みの積算データに反映されていない使用量データを取得する。
【００２２】
第３取得部２１は、取替作業中に取替前の計量器Ａと並列に取り付けられる代替の計量器Ｃと接続し、この代替の計量器Ｃから積算データ（Ｙ０，Ｙ１）を取得する。
さらに、第３取得部２１は、取り外した取替前の計量器Ａと接続して積算データ（Ｘ１）を取得する。
【００２３】
算出部２２は、取替前の計量器Ａを取り外した際の代替の計量器Ｃの積算データ（Ｙ０）、及び取替後の計量器Ｂを取り付けた際の代替の計量器Ｃの積算データ（Ｙ１）に基づいて、取替作業中の使用量データ（ｙ）を算出する。
【００２４】
送信部２３は、代替の計量器Ｃの積算データ（Ｙ０，Ｙ１）に基づく取替作業中の使用量データ（ｙ）を管理サーバ１０へ送信する。
さらに、送信部２３は、取り外した取替前の計量器Ａの積算データ（Ｘ１）を、管理サーバ１０へ送信する。
【００２５】
出力部２４は、工事対象の契約情報、及び工事に関係した計量器Ａ，Ｂ，Ｃの情報と共に、取替作業中の使用量データを出力する。
具体的には、出力部２４は、使用量データを含むこれらの情報をディスプレイに表示する他、プリンタにより出力、あるいは他の端末へデータ送信してもよい。
【００２６】
また、出力部２４は、取替作業の手順をガイダンスとして出力し、作業者は、このガイダンスに基づいて作業を実施してもよい。なお、携帯端末２０は、手順の情報を管理サーバ１０から取得してもよい。
【００２７】
図４は、本実施形態に係る計量器取替システム１における処理を示すシーケンス図である。
【００２８】
ステップＳ１において、取替前の計量器Ａは、計量された積算データを、周期的に管理サーバ１０へ送信する。
【００２９】
ステップＳ２において、携帯端末２０は、代替の計量器Ｃと有線又は無線で通信接続し、積算データを受信する。
【００３０】
ステップＳ３において、代替の計量器Ｃが取替前の計量器Ａと並列に設置される。
ステップＳ４において、電力を計量する主体が取替前の計量器Ａから代替の計量器Ｃへ切り替えられる。すなわち、取替前の計量器Ａによる計量が終了し、代替の計量器Ｃによる計量が開始される。
ステップＳ５において、取替前の計量器Ａが撤去される。
【００３１】
ステップＳ６において、携帯端末２０は、取替前の計量器Ａと有線又は無線で通信接続し、計量を終えた最後の積算データを受信する。
ステップＳ７において、携帯端末２０は、受信した取替前の計量器Ａの積算データを、管理サーバ１０へ送信する。
【００３２】
ステップＳ８において、撤去された取替前の計量器Ａの位置に、取替後の計量器Ｂが代替の計量器Ｃと並列に設置される。
ステップＳ９において、電力を計量する主体が代替の計量器Ｃから取替後の計量器Ｂへ切り替えられる。すなわち、代替の計量器Ｃによる計量が終了し、取替後の計量器Ｂによる計量が開始される。
ステップＳ１０において、代替の計量器Ｃが撤去される。
【００３３】
ステップＳ１１において、携帯端末２０は、代替の計量器Ｃと有線又は無線で通信接続し、計量を終えた最後の積算データを受信する。
【００３４】
ステップＳ１２において、携帯端末２０は、ステップＳ２で受信した代替の計量器Ｃの設置前の積算データと、ステップＳ１１で受信した代替の計量器Ｃの撤去後の積算データとに基づいて、これらの差分である使用量を算出する。
ステップＳ１３において、携帯端末２０は、算出された使用量データを管理サーバ１０へ送信する。
【００３５】
ステップＳ１４において、取替後の計量器Ｂは、計量された積算データを、周期的に管理サーバ１０へ送信する。
【００３６】
なお、ステップＳ３の設置とステップＳ５の撤去との間、及びステップＳ８の設置とステップＳ１０の撤去との間に掛かる時間を十分に短くできれば、ステップＳ４及びステップＳ９の切替処理は、省略してもよい。この場合、使用量が重複して計量されないように、代替の計量器Ｃの設置作業終了（計量開始）の前に取替前の計量器Ａの撤去作業が開始（計量終了）されること、取替後の計量器Ｂの設置作業終了（計量開始）の前に代替の計量器Ｃの撤去作業が開始（計量終了）されることが望ましい。
【００３７】
本実施形態によれば、携帯端末２０は、計量器の取替の際に設置される代替の計量器Ｃと通信接続し、設置前及び撤去後の積算データを取得する。これらの積算データに基づく取替作業中の使用量に関するデータを、携帯端末２０から管理サーバ１０へ送信することにより、管理サーバ１０は、計量器の取替作業に際して、正確に使用量を積算できる。この結果、使用料金の計算に関する煩雑な作業が削減されると共に、管理サーバ１０は、正確な使用量データに基づき使用料金を算出できる。
【００３８】
また、携帯端末２０が代替の計量器Ｃの積算データから使用量を算出するので、携帯端末２０は、管理サーバ１０の処理負荷を低減すると共に、作業現場での使用量の確認を容易にできる。
【００３９】
また、携帯端末２０は、取り外した取替前の計量器Ａと通信接続して積算データを取得するので、通常運用中に周期的に送信された以降の未送信の積算データを管理サーバ１０へ提供できる。この結果、管理サーバ１０は、計量器の取替作業に際して、より正確に使用量を積算できる。
【００４０】
また、携帯端末２０は、取替作業中の使用量データをディスプレイ及びプリンタに出力できるので、作業内容の契約者への確認等が正確なデータによって効率的に実施できる。
なお、携帯端末２０は、取替前の計量器Ａから最後に管理サーバ１０へ送信された積算データ（Ｘ０）を予め取得しておき、撤去後の積算データ（Ｘ１）との差分から未送信の使用量データを算出及び出力してもよい。
【００４１】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００４２】
本実施形態の各機能は、ハードウェア、ソフトウェア又はこれらの組み合わせにより実現される。ソフトウェアによって実現される場合には、このソフトウェアを構成するプログラムが、情報処理装置（管理サーバ１０、携帯端末２０）にインストールされる。また、これらのプログラムは、ＣＤ−ＲＯＭのようなリムーバブルメディアに記録されてユーザに配布されてもよいし、ネットワークを介してユーザのコンピュータ（携帯端末２０）にダウンロードされることにより配布されてもよい。
【符号の説明】
【００４３】
１  計量器取替システム
１０  管理サーバ
１１  第１取得部
１２  第２取得部
２０  携帯端末
２１  第３取得部
２２  算出部
２３  送信部
２４  出力部
【図１】
2017102541.tif 000003
【図２】
2017102541.tif 000004
【図３】
2017102541.tif 000005
【図４】
2017102541.tif 000006